(57)【特許請求の範囲】
【請求項１】
タップ付き変圧器と、前記タップ付き変圧器のタップ切換を行う負荷時タップ切換器と、前記負荷時タップ切換器と連動してタップ位置を機械的に表示するタップ位置表示板とを備え、これらは充填された絶縁油と共に絶縁油に充填された状態でケース内に収容され、前記タップ位置がケースの外から確認ができるようにタップ位置覗き窓がケースの側面に設けられ、前記タップ位置覗き窓は窓枠取付座と板状の透明部材と板状の窓枠とからなり、前記窓枠取付座はケースの側部に形成された切り欠きの周縁に取り付けられて複数の窓枠取付用タップ穴が形成され、前記窓枠取付用タップ穴に対応させて窓枠にボルト貫通孔が形成され、前記窓枠取付座に透明部材を介在させて窓枠がボルトをボルト貫通孔に挿通させて窓枠取付用タップ穴に螺合させて締め付けることにより取り付けられた配電用自動電圧調整器であって、
前記タップ位置覗き窓を覆う位置とタップ位置覗き窓を覆わない位置とが選択できるように透明部材の平坦面に沿って回動自在となる保護板と、
前記保護板を支持するための保護板支持用ボルトとが設けられ、
前記窓枠取付用タップ穴に螺合されたボルトを貫通させるボルト貫通孔と、前記保護板支持用ボルトを螺合させる保護板取付用タップ穴とが形成された２つの保護板支持用部材が窓枠取付用タップ穴に螺合されたボルトを挿通させた状態でそれぞれ取り付けられ、
前記２つの保護板取付用タップ穴の一方に対応させてボルト貫通孔が形成され、前記ボルト貫通孔に挿通される保護板支持用ボルトの軸回りに回動可能とすると共に、自然落下を阻止するように２つの保護板取付用タップ穴の他方に螺合される保護板支持用ボルトにより係止させる円弧状の切り込みが形成された保護板が保護板支持用ボルトを保護板取付用タップ穴にそれぞれ螺合させて締め付けることにより取り付けられた配電用自動電圧調整器。
【発明の詳細な説明】
【技術分野】
【０００１】
本発明は、保護板付きのタップ位置覗き窓が設けられた配電用自動電圧調整に関するものである。
【背景技術】
【０００２】
配電用自動電圧調整器は特許文献１に示されるように、タップ付変圧器と、タップ付変圧器のタップ切換を行う負荷時タップ切換器と、負荷時タップ切換器と連動してタップ位置を機械的に表示するタップ位置表示板とを備え、これらは充填された絶縁油と共に絶縁油に充填された状態でケース内に収容されており、配電用自動電圧調整器の操作時、点検時の際に、タップ位置がケース外で確認ができるようにタップ位置覗き窓がケースの側面に設けられている。
【０００３】
上記配電用自動電圧調整器の従来のタップ位置覗き窓４１′は、図４（Ａ）（Ｂ）に示すように、窓枠取付座４１０と透明部材４１１と窓枠４１２とパッキン４１３ａ，４１３ｂとからなる。窓枠取付座４１０は厚みが比較的大きい金属板を円形リング状に形成され、その円形の一方の平坦面をケース２に対向させた状態でケース２の側面に形成された円形状の切り欠き２ａの周縁に溶接により取り付けられており、円形の他方の平坦面には複数の窓枠取付用タップ穴４１０ａが形成されている。透明部材４１１はアクリル板等を円形状に形成され、窓枠４１２は金属板等を円形リング状に形成され、パッキン４１３ａ，４１３ｂは板状のコルク合成ゴム材を円形状に形成されており、窓枠４１２には窓枠取付座４１０に形成されたタップ穴４１０ａに対応させてボルト貫通孔４１２ａがそれぞれ形成されている。窓枠４１２は、窓枠取付座４１０にパッキン４１３ａと透明部材４１１とパッキン４１３ｂとを順次に介在させ、ボルト４１４を窓枠４１２に形成されたボルト貫通孔４１２ａに挿通させて窓枠取付用タップ穴４１０ａに螺合させて締め付けることにより取り付けられている。
【０００４】
ところで、近年、飛来物によってタップ位置覗き窓４１の透明部材４１１が割れる事故や、ケース内に充填されている絶縁油が経年劣化による汚れが著しいために内部が確認できなくなる問題が取りざたされ、覗き窓に保護板を取り付ける必要性が増してきている。  
【０００５】
そこで、従来の保護板付きのタップ位置覗き窓４１は、図５（Ａ）（Ｂ）に示すように、窓枠４１２の平坦面に２つの保護板支持用ボルト４１５を起立させて溶接等により取り付け、２つのボルト４１５ａ，４１５ｂに対応させてボルト貫通孔４４０ａ，４４０ｂが形成された保護板４４０を、保護板支持用ボルト４１５ａ，４１５ｂに差し込み、蝶ナット４１６ａ，４１６ｂによりそれぞれ締め付け、窓枠４１２全体を覆うように取り付けて構成されている。
【特許文献１】特開２００６−１７９６８０号公報（図１４）
【発明の開示】
【発明が解決しようとする課題】
【０００６】
しかしながら、従来の保護板付きのタップ位置覗き窓４１を既設の配電用自動電圧調整器に適用する場合には、現地及び電柱上での溶接作業が必要となり、その作業が非常に煩雑となる。また、従来の保護板付きのタップ位置覗き窓４１を既設及び新規製作の配電用自動電圧調整器に適用した場合には、保護板４４０を外して透明部材４１１から内部を覗こうとする際、２つの蝶ナット蝶ナット４１６ａ，４１６ｂを完全にボルト４１５ａ，４１５ｂからそれぞれ外し、保護板４４０をボルト４１５ａ，４１５ｂから外さなければならないために、保護板４４０の着脱作業に手間と時間がかかる。また、電柱上で行う作業であり、保護板や蝶ナットを落下させてしまう虞れがある。
【０００７】
本発明の目的は、タップ位置覗き窓に保護板を設ける作業を大幅に簡素化させるようにした既設の配電用自動電圧調整器を提供することにある。
【課題を解決するための手段】
【０００８】
第１の発明は、タップ付き変圧器と、タップ付き変圧器のタップ切換を行う負荷時タップ切換器と、前記負荷時タップ切換器と連動してタップ位置を機械的に表示するタップ位置表示板とを備え、これらは充填された絶縁油と共に絶縁油に充填された状態でケース内に収容され、前記タップ位置がケースの外から確認ができるようにタップ位置覗き窓がケースの側面に設けられ、前記タップ位置覗き窓は窓枠取付座と板状の透明部材と板状の窓枠とからなり、前記窓枠取付座はケースの側部に形成された切り欠きの周縁に取り付けられて複数の窓枠取付用タップ穴が形成され、前記窓枠取付用タップ穴に対応させて窓枠にボルト貫通孔が形成され、前記窓枠取付座に透明部材を介在させて窓枠がボルトをボルト貫通孔に挿通させて窓枠取付用タップ穴に螺合させて締め付けることにより取り付けられた配電用自動電圧調整器を対象とし、
前記タップ位置覗き窓を覆う位置とタップ位置覗き窓を覆わない位置とが選択できるように透明部材の平坦面に沿って回動自在となる保護板と、
前記保護板を支持するための保護板支持用ボルトとが設けられ、
前記窓枠取付用タップ穴に螺合されたボルトを貫通させるボルト貫通孔と、前記保護板支持用ボルトを螺合させる保護板取付用タップ穴とが形成された２つの保護板支持用部材が窓枠取付用タップ穴に螺合されたボルトを挿通させた状態でそれぞれ取り付けられ、
前記２つの保護板取付用タップ穴の一方に対応させてボルト貫通孔が形成され、前記ボルト貫通孔に挿通される保護板支持用ボルトの軸回りに回動可能とすると共に、自然落下を阻止するように２つの保護板取付用タップ穴の他方に螺合される保護板支持用ボルトにより係止させる円弧状の切り込みが形成された保護板が保護板支持用ボルトを保護板取付用タップ穴にそれぞれ螺合させて締め付けることにより取り付けられるようにしたものである。
【発明の効果】
【０００９】
以上のように、第１の発明によれば、既設の配電用自動電圧調整器に対し、電柱上での溶接作業を行うことなく、従来のタップ位置覗き窓に保護板を設ける作業を大幅に簡素化させることができる。また、保護板付きのタップ位置覗き窓が設けられた既設及び新規の配電用自動電圧調整器に対し、保護板の着脱作業を大幅に簡素化させることができると共に、保護板や蝶ナットの落下を防止させることができる。また、窓枠を締め付けるボルトの螺合状態に影響を与えることなく、このタップ位置覗き窓を簡単に改造させることができる。
【発明を実施するための最良の形態】
【００１０】
図１（Ａ）は本発明に係る配電用自動電圧調整器の第１の実施形態の要部を示す正面図、（Ｂ）は（Ａ）のＡ−Ａ線断面矢視図である。図１に示す保護板付きのタップ位置覗き窓２１の基本構成は、図４に示すタップ位置覗き窓と同様の構成であり、窓枠取付座２１０と透明部材２１１と窓枠２１２とパッキン２１３ａ，２１３ｂとからなる。窓枠取付座２１０はケース２の側面に形成された切り欠き２ａの周縁に溶接により取り付けられており、複数の窓枠取付用タップ穴２１０ａが形成されている。窓枠２１２には、窓枠取付座２１０に形成された窓枠取付用タップ穴２１０ａに対応させてボルト貫通孔２１２ａがそれぞれ形成されている。窓枠２１２は、ボルト２１４をボルト貫通孔２１２ａに挿通させて窓枠取付用タップ穴２１０ａに螺合させて締め付けることにより取り付けられている。  
【００１１】
窓枠２１２の任意の２つには、保護板支持用ボルト２１５ａ，２１５ｂがそれぞれ取り付けられており、この保護板支持用ボルト２１５ａに対応させてボルト貫通孔２４０ａが形成され、このボルト貫通孔２４０ａに挿通される保護板支持用ボルト２１５ａの軸回りに回動可能とすると共に、自然落下を阻止するように保護板支持用ボルト２１５ｂにより係止させる円弧状の切り込み２４０ｂが形成された保護板２４０を、保護板支持用ボルト２１５ａ，２１５ｂに差し込み、蝶ナット２１６ａ，２１６ｂによりそれぞれ締め付けて取り付けている。
【００１２】
保護板２４０は、非操作時、非点検時の際には図３に示すように、覗き窓２１の窓枠２１２（透明部材２１１）を覆う位置で保護板支持用ボルト２１５ｂにより係止されているが、操作時、点検時の際には蝶ナット２１６ａ，２１６ｂの締め付けをそれぞれ緩めることにより回動可能となるので、保護板２４０を反時計回りに回転させ、窓枠２１２（透明部材２１１）を覆わない図２に示す位置で蝶ナット２１６ａを締め付けるようにする。
【００１３】
本実施形態では、特に、従来のタップ位置覗き窓４１′が設けられた既設の配電用自動電圧調整器に対し、このタップ位置覗き窓の簡単な改造で済む。
【００１４】
図３（Ａ）は本発明に係る配電用自動電圧調整器の第２の実施形態の要部を示す正面図、（Ｂ）は（Ａ）のＡ−Ａ線断面矢視図である。図４に示す保護板付きのタップ位置覗き窓３１の基本構成は、図５に示すタップ位置覗き窓と同様の構成であり、窓枠取付座３１０と透明部材３１１と窓枠３１２とパッキン３１３ａ，３１３ｂとからなる。窓枠取付座３１０はケース２の側面に形成された切り欠き２ａの周縁に溶接により取り付けられており、複数の窓枠取付用タップ穴３１０ａが形成されている。窓枠３１２には、窓枠取付座３１０に形成された窓枠取付用タップ穴３１０ａに対応させてボルト貫通孔３１２ａがそれぞれ形成されている。窓枠２１２は、ボルト３１４をボルト貫通孔３１２ａに挿通させて窓枠取付用タップ穴３１０ａに螺合させて締め付けることにより取り付けられている。  
【００１５】
ボルト３１４の任意の２つには、長方形状の板からなる保護板支持用部材３５０ａ，３５０ｂがそれぞれ設けられている。保護板支持用部材３５０ａには、ボルト３１４を挿通させるボルト貫通孔３５０a1と、保護板支持用ボルト３１５ａを螺合させる保護板取付用タップ穴３５０a2とがそれぞれ形成されて長手方向に配置され、保護板支持用部材３５０ｂにはボルト３１４を挿通させるボルト貫通孔３５０b1と保護板支持用ボルト３１５ｂを螺合させる保護板取付タップ穴３５０b2とがそれぞれ形成されて長手方向に配置されている。
【００１６】
保護板支持用部材３５０ａは、窓枠２１２上に配置され、ボルト３１４をボルト貫通孔３５０a1に挿通させて窓枠取付用タップ穴３１０ａに螺合させて締め付けることにより取り付けられ、保護板支持用部材３５０ｂは、窓枠３１２上に配置され、現地で取り外したボルト３１４をボルト貫通孔３５０b1に挿通させて窓枠取付用タップ穴３１０ａに現地で螺合させて締め付けることにより取り付けられている。
【００１７】
保護板取付用タップ穴３５０a2，３５０b2には、保護板支持用ボルト３１５ａ，３１５ｂがそれぞれ螺合されており、この保護板支持用ボルト３１５ａに対応させてボルト貫通孔３４０ａが形成され、このボルト貫通孔３４０ａに挿通される保護板支持用ボルト３１５ａの軸回りに回動可能とすると共に、自然落下を阻止するように保護板支持用ボルト３１５ｂにより係止させる円弧状の切り込み３４０ｂが形成された保護板３４０を、保護板支持用ボルト３１５ａ，３１５ｂによりそれぞれ締め付けて取り付けている。
【００１８】
保護板３４０は、非操作時、非点検時の際には図３に示すように、覗き窓３１の窓枠３１２（透明部材３１１）を覆う位置で保護板支持用ボルト３１５ｂにより係止されているが、操作時、点検時の際には保護板支持用ボルト３１５ａ，３１５ｂの締め付けをそれぞれ緩めることにより回動可能となるので、保護板３４０を反時計回りに回転させ、窓枠３１２（透明部材３１１）を覆わない図２に示す位置で保護板支持用ボルト３１５ａにより締め付けるようにする。
【００１９】
本実施形態では、特に、従来のタップ位置覗き窓４１′が設けられた既設の配電用自動電圧調整器に対し、窓枠３１２を締め付けるボルト３１４の螺合状態に影響を与えることなく、このタップ位置覗き窓の簡単な改造で済む。
【００２０】
上記の各実施形態では、保護板はボルトにより係止されているが、このボルトの代わりに単なる棒でもよい。
【００２１】
上記の各実施形態ではまた、保護板にボルト貫通孔と切り込みとが形成されているが、この切り込みを無くして保護板支持用ボルト１つで保護板を支持させるようにしてもよい。
【００２２】
本発明の保護板は、従来のタップ位置覗き窓が設けられた新規製作の配電用自動電圧調整器に対し、窓枠の平坦面に２つの保護板支持用ボルトを起立状態で取り付けた構成に適用ができる。
【図面の簡単な説明】
【００２３】
【図１】（Ａ）は本発明に係る配電用自動電圧調整器の第１の実施形態の要部を示す正面図、（Ｂ）は（Ａ）のＡ−Ａ線断面矢視図である。
【図２】図１の保護板を回転させた状態を示す正面図である。
【図３】（Ａ）は本発明に係る配電用自動電圧調整器の第２の実施形態の要部を示す正面図、（Ｂ）は（Ａ）のＡ−Ａ線断面矢視図である。
【図４】（Ａ）は従来のタップ位置覗き窓を有する配電用自動電圧調整器の要部を示す正面図、（Ｂ）は（Ａ）のＡ−Ａ線断面矢視図である。
【図５】（Ａ）は従来の保護板付きのタップ位置覗き窓を有する配電用自動電圧調整器の要部を示す正面図、（Ｂ）は（Ａ）のＡ−Ａ線断面矢視図である。
【符号の説明】
【００２４】
２  ケース
２ａ  切り欠き
３１０  窓枠取付座
３１０ａ  窓枠取付用タップ穴
３１１  透明部材
３１２  窓枠
３１２ａ  ボルト貫通孔
３１４  ボルト
３５０ａ，３５０ｂ  保護板支持用部材
３５０a1，３５０b1  ボルト貫通孔
３５０a2，３５０b2  保護板取付タップ穴
【図１】
0005296471.tif 000002
【図２】
0005296471.tif 000003
【図３】
0005296471.tif 000004
【図４】
0005296471.tif 000005
【図５】
0005296471.tif 000006